(57)【要約】【課題】  写真フィルムの各画像コマを読み取り開口に精度よく位置決めする。【解決手段】  フィルムキャリア１３の上流側に、オートフィルムローダ１１、先端センサ３５、画面センサ３６、第１リザーバ１２を設ける。第１リザーバ１２におけるフィルム貯留量をほぼ写真フィルム１本分として、画面センサ３６からの信号に基づきコマ位置判定部４１により写真フィルム１本分の各画像コマのコマ位置を特定する。この特定したコマ位置データに基づきフィルムキャリア１３で各画像コマを読み取り開口１３ａに位置決めする。１本分の確実なコマ位置データに基づき不明確なコマ位置データを特定することができ、各画像コマを読み取り開口１３ａに位置決めすることができる。【選択図】      図１
2006071812.tif 000002
【特許請求の範囲】
【請求項１】
写真フィルムに記録された各画像コマを読み取りまたは焼き付けのための処理位置にフィルムキャリアによりセットして読み取りまたは焼き付け処理を行う写真フィルム処理装置において、
前記フィルムキャリアに対してフィルム送り方向上流側に設けられ写真フィルムの各画像コマのエッジ位置を検出する画面センサと、
前記画面センサと前記フィルムキャリアとの間に設けられ、前記処理位置から前記画面センサまでの写真フィルムの搬送距離を前記写真フィルムの１本分の長さ以上の搬送距離とするように写真フィルムを一時的に貯留するリザーバと、
前記画面センサによる写真フィルム１本分の各画像コマのエッジ位置検出信号に基づき各画像コマの位置を特定し前記処理位置に各画像コマを位置決めするコマ位置特定手段とを備えることを特徴とする写真フィルム処理装置。
【請求項２】
前記画面センサに対してフィルム送り方向上流側に設けられ、長尺状の写真フィルムを自動供給するオートフィルムローダを有することを特徴とする請求項１記載の写真フィルム処理装置。
【請求項３】
前記フィルムキャリアの下流側に設けられ、前記フィルムキャリアで画像が読み取られまたは焼き付けられた後の写真フィルムを所定のコマ数で切断し、フィルムピースとしてフィルムシートに挿入するフィルムカッティングインサータを有し、このフィルムカッティングインサータは前記画面センサの検出信号に基づき写真フィルムを切断することを特徴とする請求項１または２記載の写真フィルム処理装置。
【請求項４】
写真フィルムに記録された各画像コマを読み取りまたは焼き付けのための処理位置にフィルムキャリアによりセットして読み取りまたは焼き付け処理を行った後に、前記フィルムキャリアの下流側に設けられるフィルムカッティングインサータにより、前記フィルムキャリアで画像が読み取られまたは焼き付けられた後の写真フィルムを所定のコマ数で切断し、フィルムピースとしてフィルムシートに挿入する写真フィルム処理装置において、
前記フィルムキャリアに対してフィルム送り方向上流側に設けられ写真フィルムの各画像コマのエッジ位置を検出する第１画面センサと、
前記第１画面センサと前記フィルムキャリアとの間に設けられ、前記処理位置から前記第１画面センサまでの写真フィルムの搬送距離を前記写真フィルムの１本分の長さ以上の搬送距離とするように写真フィルムを一時的に貯留するリザーバと、
前記フィルムキャリアに設けられ、写真フィルムの各画像コマのエッジ位置を検出する第２画面センサと、
前記フィルムカッティングインサータに設けられ、写真フィルムの各画像コマのエッジ位置を検出する第３画面センサと、
前記各画面センサによる各画像コマのエッジ位置検出信号に基づき各画像コマの位置を特定するコマ位置特定手段とを備え、
前記コマ位置特定手段は、前記第３画面センサによるエッジ位置検出信号が不明確な場合に、前記第１画面センサまたは第２画面センサのいずれかのエッジ位置検出信号に基づき各画像コマの位置を特定することを特徴とする写真フィルム処理装置。
【発明の詳細な説明】
【技術分野】
【０００１】
本発明は、フィルムキャリアを用いて画像読み取りまたは画像焼き付けのための処理位置に写真フィルムの各画像コマをセットして、画像読み取りまたは画像焼き付け等の処理を行う写真フィルム処理装置に関するものである。
【背景技術】
【０００２】
写真フィルムの画像処理をデジタルで行うフィルム処理装置には、画像が記録された写真フィルムを所定の読取速度で搬送しつつ、この写真フィルムの画像をＣＣＤラインセンサからなるスキャナによって読み取り、この読み取りによって得られた画像データを用いて記録材料への画像の記録、ディスプレイへの画像の表示等を行うものがある（特許文献１，２参照）。
【０００３】
このような写真フィルム処理装置の画像読取部では、搬送ローラ対により写真フィルムを読取搬送路に沿って一方向へ搬送しつつ、ラインスキャナにより比較的にラフな解像度で写真フィルムの画像を読み取るプレスキャニングを行い、写真フィルムに記録された画像のサイズやダイナミックレンジ等を確認した後、写真フィルムの搬送方向を反転して写真フィルムを逆方向へ搬送しつつ、プレスキャニングにより得られたデータに基づいて高解像度で写真フィルムの画像を読み取るファインスキャニングを行うという、いわゆる往復走査を行っている。ファインスキャニング完了後の写真フィルムは、読取搬送路に接続されたフィルム搬出路に沿って装置外部やフィルム受入部へ搬出される。
【０００４】
また、この写真フィルム処理装置には、上記の読取搬送路へ写真フィルムを自動供給するオートフィルムローダ（ＡＦＬ）が設けられている。このオートフィルムローダには、例えば、写真フィルムが積層されたフィルム束が装填されるフィルムホルダ、このフィルムホルダに装填されたフィルム束から１本の写真フィルムを分離し、この写真フィルムをフィルム搬出路へ接続されたフィルム供給路へ送り込む給送ローラ、フィルム供給路に沿って写真フィルムを読取搬送路へ搬送する搬送ローラ対が設けられている。このオートフィルムローダは、所定のタイミングで給送ローラによりフィルムホルダに装填されたフィルム束の最上部又は最下部から１本の写真フィルムを分離し、この写真フィルムをフィルム供給路に沿って装置本体側の読取搬送路へ搬送する。
【０００５】
フィルム搬出路へ搬送された写真フィルムは、例えば、フィルムカッタで６コマまたは４コマ等の所定長さに切断される。この切断されてなるピースフィルムは、フィルム収容袋が連続するシート（フィルムシート）にインサータにより順次収納されていく。
【０００６】
【特許文献１】特開平１１−１３３５１９号公報
【特許文献２】特開平５−１８８４８３号公報
【発明の開示】
【発明が解決しようとする課題】
【０００７】
ところで、写真フィルムの画像をＣＣＤエリアセンサによって画像コマ単位で読み取る場合には、フィルムキャリア内の画面センサによってコマ位置を特定し、スキャン位置に読取対象画像コマを停止させる必要がある。この場合に、フィルムキャリア内の画面センサはフィルムキャリアの大きさの都合上、通常スキャン位置に対して３〜４コマ程度上流側に配置することが多い。このため、例えば花火などのシーンの撮影画像では、その境界が不明確となることから、これらのシーンが４コマ以上連続して撮影されたフィルムではこれらのコマ位置を判定することが困難になる。したがって、自動停止後にコマ位置が正しいか否かをオペレータに判定させる必要がある。オペレータが濃度や色を補正するための検定作業を行うモードで画像を読み取っている場合には、自動停止後にコマ位置が正しいか否かを判定させることはそれほど負担にならないが、オートフィルムローダを用いた自動読取モードにおいては、オペレータに停止位置を確認させるとなると、作業効率が著しく低下してしまうという問題がある。
【０００８】
本発明は上記問題を解決するためのものであり、作業効率を低下させることなく各画像コマをスキャンエリアに精度よく位置決めすることができるフィルム処理装置を提供することを目的とする。
【課題を解決するための手段】
【０００９】
本発明は上記課題を解決するためになされたものであり、写真フィルムに記録された各画像コマを読み取りまたは焼き付けのための処理位置にフィルムキャリアによりセットして読み取りまたは焼き付け処理を行う写真フィルム処理装置であって、前記フィルムキャリアに対してフィルム送り方向上流側に設けられ写真フィルムの各画像コマのエッジ位置を検出する画面センサと、前記画面センサと前記フィルムキャリアとの間に設けられ、前記処理位置から前記画面センサまでの写真フィルムの搬送距離を前記写真フィルムの１本分の長さ以上の搬送距離とするように写真フィルムを一時的に貯留するリザーバと、前記画面センサによる写真フィルム１本分の各画像コマのエッジ位置検出信号に基づき各画像コマの位置を特定し前記処理位置に各画像コマを位置決めするコマ位置特定手段とを備えることを特徴とする。
【００１０】
また、本発明は、前記画面センサに対してフィルム送り方向上流側に設けられ、長尺状の写真フィルムを自動供給するオートフィルムローダを有することを特徴とする。また、本発明は、前記フィルムキャリアの下流側に設けられ、前記フィルムキャリアで画像が読み取られまたは焼き付けられた後の写真フィルムを所定のコマ数で切断し、フィルムピースとしてフィルムシートに挿入するフィルムカッティングインサータを有し、このフィルムカッティングインサータは前記画面センサの検出信号に基づき写真フィルムを切断することを特徴とする。
【００１１】
また、本発明は、写真フィルムに記録された各画像コマを読み取りまたは焼き付けのための処理位置にフィルムキャリアによりセットして読み取りまたは焼き付け処理を行った後に、前記フィルムキャリアの下流側に設けられるフィルムカッティングインサータにより、前記フィルムキャリアで画像が読み取られまたは焼き付けられた後の写真フィルムを所定のコマ数で切断し、フィルムピースとしてフィルムシートに挿入する写真フィルム処理装置であって、前記フィルムキャリアに対してフィルム送り方向上流側に設けられ写真フィルムの各画像コマのエッジ位置を検出する第１画面センサと、前記第１画面センサと前記フィルムキャリアとの間に設けられ、前記処理位置から前記第１画面センサまでの写真フィルムの搬送距離を前記写真フィルムの１本分の長さ以上の搬送距離とするように写真フィルムを一時的に貯留するリザーバと、前記フィルムキャリアに設けられ、写真フィルムの各画像コマのエッジ位置を検出する第２画面センサと、前記フィルムカッティングインサータに設けられ、写真フィルムの各画像コマのエッジ位置を検出する第３画面センサと、前記各画面センサによる各画像コマのエッジ位置検出信号に基づき各画像コマの位置を特定するコマ位置特定手段とを備え、前記コマ位置特定手段は、前記第３画面センサによるエッジ位置検出信号が不明確な場合に、前記第１画面センサまたは第２画面センサのいずれかのエッジ位置検出信号に基づき各画像コマの位置を特定することを特徴とする。
【発明の効果】
【００１２】
本発明によれば、画面センサは、前記処理位置から写真フィルムの１本分の長さ以上の搬送距離が隔てられた位置に設けられるので、処理位置に画像コマがセットされる前に、画面センサで１本分の各画像コマの画面エッジ位置を検出することができる。したがって、１本分の各画像コマの画面エッジ位置に基づき、エッジ位置が不明瞭な画像コマであっても明瞭な画像コマ位置に基づき画像エッジ位置を特定することができ、これに基づき画像読み取りや画像焼き付けの処理位置に各画像コマを精度よく位置決めすることができる。また、画像の読み取りまたは焼き付け後に例えば６コマ毎に写真フィルムを切断しフィルムピースにして、このフィルムピースをフィルムシートに挿入する場合でも、１本分の明瞭な画面エッジ位置から切断位置を特定することができ、誤って画像コマ内で写真フィルムを切断してしまうことがなくなる。
【００１３】
また、フィルムキャリアとフィルムカッティングインサータとに設けた画面センサの他に、フィルムキャリアの上流側にも画面センサを設けて、上流側から順に第１画面センサ、第２画面センサ、第３画面センサとしたときに、フィルムカッティングインサータで４コマまたは６コマ等の単位で写真フィルムを切断する際に、コマ位置特定手段は、前記第３画面センサによるエッジ位置検出信号が不明確な場合に、前記第１画面センサまたは第２画面センサのいずれかのエッジ位置検出信号に基づき各画像コマの位置を特定することにより、確実に各コマの間の余白で写真フィルムを切断することができる。
【発明を実施するための最良の形態】
【００１４】
図１に示すように、画像入力機１０は、オートフィルムローダ１１、第１リザーバ１２、フィルムキャリア１３、画像読取部１４、第２リザーバ１５、フィルムカッティングインサータ１６、及び画像処理部１７を備えている。また、画像出力機１８は、レーザプリンタ部１９及びプロセサ部２０を備えている。オートフィルムローダ１１は、フィルムホルダ２５、給送ローラ２６、及び搬送ローラ対２７を備えている。フィルムホルダ２５には、現像済みの写真フィルム２８が積層されて束とされたフィルム束２９が装填される。給送ローラ２６は、フィルムホルダ２５内の写真フィルム２８を１本ずつ分離して搬送ローラ対２７に送る。搬送ローラ対２７はフィルムホルダ２５から分離された写真フィルム２８を第１リザーバ１２に送る。なお、符号２４はフィルム搬送路を示している。
【００１５】
第１リザーバ１２は、２個の搬送ローラ対３０，３１の間にループ空間３２を形成するように構成されており、入口側の搬送ローラ対３０には可動ガイド３３が設けられている。可動ガイド３３は、入口側の搬送ローラ対３０の下部駆動ローラ３０ａと同軸で回転自在に取り付けられており、水平状態となって写真フィルム２８の先端を出口側搬送ローラ対３１に案内する案内位置（二点鎖線表示）と、略垂直状態となってループ空間３２から退避する退避位置（実線表示）との間で変位する。
【００１６】
フィルムホルダ２５の搬送ローラ対２７と第１リザーバ１２の入口側搬送ローラ対３０との間には、先端センサ３５及び画面センサ３６が設けられている。先端センサ３５は写真フィルム２８の先端を検出し、この先端検出信号をシステムコントローラ４０に送る。画面センサ３６は、写真フィルム２８の画像記録エリア内にフィルム幅方向で離間して配置された例えば４個の透過型受光センサから構成されており、これらの受光センサの信号はシステムコントローラ４０に送られる。システムコントローラ４０では、コマ位置判定部４１によって、フィルム長手方向における各受光センサの濃度変動に基づき各画像コマのエッジ位置を抽出する。
【００１７】
図２は、エッジ位置の抽出及び判定アルゴリズムの一例を示している。まず、エッジが明確なコマについて、エッジ位置を確定する。ここで、エッジ位置の明確なコマとは、４個の受光センサのうち、例えば２個以上の受光センサの濃度が切り替わる位置であり、これら切り替わった位置が所定のコマピッチに対応したエッジ位置範囲内に入っているものをいう。そして、この確定したエッジ位置データに基づき確定コマについてのコマ位置データの平均を算出する。次に、この確定コマの平均データに基づき、未確定コマについてエッジ位置候補を抽出する。そして、エッジ位置候補と確定エッジとの距離を算出する。次に、算出距離と前記平均との差を算出する。そして、差の最も小さいエッジ位置を選択して、これを確定エッジ位置として登録する。また、確定したエッジ位置に基づき画像コマの他方のエッジ位置を算出し登録する。これを未確定の全画像コマに対して行う。なお、エッジ位置の抽出及び判定アルゴリズムは上記のものに限定されることなく他のエッジ位置の抽出方法及び判定アルゴリズムを用いてもよい。
【００１８】
システムコントローラ４０では、コマ位置判定部４１により、各画像コマのエッジ位置を写真フィルム２８の先端からの送り量を基準にして特定する。なお、各画像コマのエッジ位置の特定は先端からの送り量に代えて、先端から対象コマのエッジ近くまでのパーフォレーションの数量と、このエッジ近くのパーフォレーションからエッジまでのフィルム送り量とから特定してもよい。この場合には、フィルム送りの累積誤差が少なくなるので、各コマ位置を精度よく特定することができる。また、パーフォレーションを基準にする代わりに、画像コマ位置に近いコマ番号バーコードやＤＸバーコードなどを基準にし、この基準にしたバーコードからのフィルム送り量により各コマのエッジ位置を特定してもよい。
【００１９】
第１リザーバ１２を通過したフィルム先端は、搬送ローラ対４５によりフィルムキャリア１３に送られる。フィルムキャリア１３には読み取り開口１３ａが形成されており、この読み取り開口１３ａを通過するようにフィルム搬送路２４が形成されている。読み取り開口１３ａにはキャリアマスク５１が設けられており、このキャリアマスク５１は画像読み取り時に写真フィルム２８を押えて写真フィルム２８の平面性を確保する。
【００２０】
キャリアマスク５１の上流側でフィルムキャリア１３内のフィルム搬送路２４には、先端センサ５２、画面センサ５３、図示しないパーフォセンサ及びバーコードリーダが設けられている。画面センサ５３は、割り込み処理がなされる場合に、オートフィルムローダ１１及びリザーバ１２を介することなく、直接にフィルムキャリア１３のフィルム入口に写真フィルムが挿入される場合に、各画像コマ位置を特定するためのものである。フィルムキャリア１３の先端センサ５２及び画面センサ５３は、リザーバ１２の上流側に設けた先端センサ３５及び画面センサ３６とほぼ同様に構成されており、これらセンサ５２，５３の出力はシステムコントローラ４０のコマ位置判定部４１に送られる。コマ位置判定部４１では、先端センサ３５及び画面センサ３６からの各信号と同様にして写真フィルム２８の先端及び画面エッジ位置を検出する。
【００２１】
画像読取部１４は光源６０及びスキャナ６１から構成されている。光源６０は、読み取り開口１３ａにセットされた各画像コマを照明する。スキャナ６１は、撮像レンズ６１ａと、この撮像レンズ６１ａの結像位置に配置されるＲ（レッド）、Ｇ（グリーン）、Ｂ（ブルー）測光用のエリアＣＣＤセンサ６１ｂとを備えており、このエリアＣＣＤセンサ６１ｂによって写真フィルム２８の各画像コマの画像を読み取る。このスキャナ６１からのＲ、Ｇ、Ｂ３色の画像データは、それぞれ画像処理部１７へ出力される。
【００２２】
画像処理部１７は、スキャナ６１からの画像データに対して濃度補正や色補正等の各種画像処理を行って、記録用画像データとしてレーザプリンタ部１９へ出力する。また画像処理部１７は、画像処理を行った画像データを画像ファイルとして外部へ出力する。例えば、メモリカードやＣＤＲ、ＤＶＤＲ等の記憶媒体やＨＤＤ等の外部記憶装置に出力したり、通信回線を介して他の情報処理機器へ送信したりする。
【００２３】
レーザプリンタ部１９はＲ、Ｇ、Ｂのレーザ光をそれぞれ出射するレーザ光源を備えており、画像処理部１７から入力された記録用画像データに応じて変調したレーザ光を印画紙に照射して、走査露光によって印画紙に画像（潜像）を形成する。プロセサ部２０は、レーザプリンタ部１９によって走査露光された印画紙に対し、発色現像、漂白定着、水洗、乾燥の各処理を施す。これにより、印画紙上に形成された潜像が現像されて可視像とされる。
【００２４】
フィルムキャリア１３を出た写真フィルム２８は第２リザーバ１５を介し、フィルムカッティングインサータ１６に送られる。第２リザーバ１５も、第１リザーバ１２とほぼ同様に構成されており、入口側搬送ローラ対６５、出口側搬送ローラ対６６、及び可動ガイド６７を備える。そして２個の搬送ローラ対６５，６６の間のループ空間６８に写真フィルム２８を一時的にループ状に貯留する。但し、第１リザーバ１２のように略１本分の写真フィルム２８を貯留する必要はなく、この第２リザーバ１５では、フィルムカッティングインサータ１６でのフィルム切断時間と、フィルムキャリア１３におけるフィルム読み取り時間との処理時間の差を吸収するためのループ量が貯留されていればよい。
【００２５】
フィルムカッティングインサータ１６には、先端センサ７０及び画面センサ７１が設けられており、これらセンサ７０，７１からの信号はシステムコントローラ４０に送られる。画面センサ７１は、割り込み処理がなされて、オートフィルムローダ１１、第１リザーバ１２、フィルムキャリア１３、第２リザーバ１５を介することなく、直接にフィルムカッティングインサータ１６のフィルム入口に写真フィルム２８が挿入される場合に、各画像コマ位置を特定するためのものである。先端センサ７０及び画面センサ７１は、リザーバ１２の上流側に設けた先端センサ３５及び画面センサ３６とほぼ同様に構成されており、これらセンサ７０，７１の出力はシステムコントローラ４０のコマ位置判定部４１に送られ、このコマ位置判定部４１によって写真フィルム２８の先端及び画面エッジ位置を検出する。
【００２６】
フィルムカッティングインサータ１６は、カッタ７５とフィルムシート搬送部７６とインサートローラ対７７とを備えている。カッタ７５は、写真フィルム２８を例えば６個の画像コマ単位で切断し、フィルムピース７８にする。このとき、画面センサ３６の１件分の全コマ位置検出結果に基づきコマ位置が特定されて、このコマ位置に基づき６コマ毎のカット位置を特定して切断する。
【００２７】
フィルムシート搬送部７６は、図示しないシート搬送ローラ対によりフィルムシートロール８０からフィルムシート８１を引き出して、インサートローラ対７７にフィルムシート８１のフィルム収納部８１ａを位置決めする。フィルムシートロール８０は、フィルムシート８１をロール状に巻き取ったものであり、フィルムシート８１には多数のフィルム収納部８１ａが並べて形成されている。このフィルム収納部８１ａにインサートローラ対７７によりフィルムピース７８が挿入されると、フィルムシート８１がフィルムシート搬送部７６によってフィルム収納部の幅だけ送られる。これにより、次の未挿入のフィルム収納部８１ａがフィルム装填位置にセットされる。以下、同様にして写真フィルム２８のカットと挿入とが行われる。また、１本分の写真フィルム２８が切断されてフィルムシート８１に挿入されると、各写真フィルム２８が挿入されたフィルム収納部８１ａの境界部分で、フィルムシート８１が図示しないカッタにより切り離される。
【００２８】
次に、上記実施形態の作用を説明する。オートフィルムローダ１１から写真フィルム２８が１本ずつ給送ローラ２６によって送り出される。この送り出された写真フィルム２８は、搬送ローラ対２７によりフィルムキャリア１３に向けて搬送される。この搬送時に、先端センサ３５及び第１画面センサ３６の出力信号に基づきシステムコントローラ４０では、コマ位置判定部４１によって、フィルム長手方向における各受光センサの濃度変動に基づき各画像コマのエッジ位置を抽出し、このエッジ位置を写真フィルム２８の先端からのフィルム送り量によって特定する。このエッジ位置データはシステムコントローラ４０のメモリに記憶される。
【００２９】
写真フィルム２８の先端が可動ガイド３３を通過し、更に下流側の搬送ローラ対３１を通過すると、可動ガイド３３がガイド位置から退避位置に変位する。この可動ガイド３３の退避によって、写真フィルム２８はループ空間３２内に収納される。画面センサ３６によって写真フィルム１件分の各画像コマの位置が特定されると、このコマ位置データがシステムコントローラ４０内のメモリに書き込まれるとともに、搬送ローラ対３１，４５によって写真フィルム２８がフィルムキャリア１３に送られる。フィルムキャリア１３では先端センサ５２によるフィルム先端検出信号を基準にしたフィルム送り量によって、各コマが読み取り開口１３ａに順次セットされて、フィルムスキャナ６１による各画像コマの読み取りが行われる。フィルムキャリア１３における各画像コマの読み取り位置へのセットは、写真フィルム２８の１本分の画像コマ位置を特定した後に、この画像コマ位置データに基づき行われるため、各画像コマを読み取り位置に確実にセットすることができる。
【００３０】
また、画像が読み取られた写真フィルム２８はフィルムカッティングインサータ１６に送られて、画面センサ３６による各画像コマの位置データに基づき６コマ毎に切断されて、フィルムシート８１に挿入される。この６コマ毎の切断も、画面センサ３６による写真フィルム２８の１本分の画像コマ位置を特定した後に、この画像コマ位置データに基づき行われるため、各画像コマの間で６コマ毎に写真フィルム２８が切断される。
【００３１】
なお、上記実施形態では、フィルムキャリア１３の上流側に設けた第１画面センサ３６によって、写真フィルム１本分の各画像コマ位置を特定するようにしたが、オートフィルムローダ１１を用いることなく、フィルムキャリア１３に直接に写真フィルム２８を挿入する場合や、オートフィルムローダ１１及び第１リザーバ１２を持たないシステムの場合には、第２リザーバ１５のフィルム貯留量をほぼ写真フィルム１本分として、フィルムキャリア１３における画面センサ５３による画像コマ位置データを１本分全て特定した後にフィルムカッティングインサータ１６でこのコマ位置データに基づき例えば６コマ毎に写真フィルム２８を切断してもよい。
【００３２】
さらに、上記実施形態では、第１画面センサ３６によるエッジ位置検出信号に基づきフィルムカッティング時の各画像コマの位置を特定したが、この他に、図３に示すように、第１〜第３画面センサの各エッジ位置検出信号を用いて、各画像コマの位置を特定してもよい。例えば、基本的には第３画面センサ７１によるエッジ位置検出信号に基づき写真フィルムを切断処理し、この第３画面センサ７１のみによってはエッジ位置を検出することができない場合に、情報切替器８５及び情報選択部８６を用いて第１または第２の画面センサによるエッジ位置検出信号を選択する。この場合に、オートフィルムローダ１１が接続されており、第１画面センサの出力を用いることができる場合には、情報切替器８５及び情報選択器８６により第１画面センサ３６の出力を用いる。また、オートフィルムローダ１１が接続されておらず、または接続されていても、フィルムキャリア１３に写真フィルム２８が直接に挿入される場合には、情報切替器８５及び情報選択器８６により第２画面センサ５３の出力を用いる。
【００３３】
また、上記実施形態では、画面センサによるエッジ位置検出信号を用いて各画像コマのエッジ位置を特定するようにしたが、この他に、図４に示すように、画像処理部１７において、画像データメモリ９０、画像エッジ抽出部９１及びエッジ位置情報座標情報変換部９２を設けて、画像処理部１７で読み取った画像データに基づきエッジ位置の特定及び座標情報への変換を行ってもよい。
【図面の簡単な説明】
【００３４】
【図１】本発明の写真フィルム処理装置を示す概略図である。
【図２】各画像コマのエッジ位置の抽出及び判定アルゴリズムの一例を示すフローチャートである。
【図３】第１ないし第３画面センサを用いて各画像コマの位置決め精度を高めた他の実施形態による要部のブロック図である。
【図４】画像処理部における各画像コマのエッジ位置の特定及び座標情報への変換を示す機能ブロック図である。
【符号の説明】
【００３５】
１０   画像入力機
１１   オートフィルムローダ
１２   第１リザーバ
１３   フィルムキャリア
１４  画像読取部
１５  第２リザーバ
１６   フィルムカッティングインサータ
１７   画像処理部
１８  画像出力機
２４  フィルム搬送路
２５  フィルムホルダ
２７，３０，３１，６５，６６，  搬送ローラ対
２８  写真フィルム
３５  先端センサ
３６  画面センサ
４０  システムコントローラ
４１  コマ位置判定部
５１  キャリアマスク
５２  先端センサ
５３  画面センサ
６１  スキャナ
７７  インサートローラ対
７８  フィルムピース
８１  フィルムシート
【図１】
2006071812.tif 000003
【図２】
2006071812.tif 000004
【図３】
2006071812.tif 000005
【図４】
2006071812.tif 000006